(57)【要約】      （修正有）【課題】ネクタイをしわや折り目を付けずに携帯できる、ネクタイを吊下げ可能な上着を提供する。【解決手段】基材１２が、上着１１の前身頃の内側に上着１１に沿って取り付けられている。吊下用アーム１３が、上着１１の丈方向に対し垂直方向に伸びた状態で、吊り下げたネクタイ１を基材１２との間に挟むようになっている。吊下用アーム１３は、上着１１の丈方向に伸びる回転軸２３を中心として回転可能に、一端が基材１２に取り付けられている。吊下用アーム１３は、他端が基材１２に着脱可能に取り付けられている。【選択図】図２
0003113077.tif 000002
【実用新案登録請求の範囲】
【請求項１】
上着と基材と吊下用アームとを有し、
前記基材は前記上着の前身頃の内側に上着に沿って取り付けられ、
前記吊下用アームは、前記上着の丈方向に伸びる回転軸を中心として回転可能に一端が前記基材に取り付けられ、前記上着の丈方向に対し垂直方向に伸びた状態で、吊り下げたネクタイを前記基材との間に挟んで他端が前記基材に着脱可能に取り付けられていることを、
特徴とするネクタイを吊下げ可能な上着。
【考案の詳細な説明】
【技術分野】
【０００１】
本考案は、ネクタイを吊下げ可能な上着に関する。
【背景技術】
【０００２】
従来、スーツを着用して出張した帰りや勤務時間終了後、リラックスするために外したネクタイは、ポケットに入れるか、カバンにしまい込むことが多い。しかし、ネクタイをポケットやカバンに直接入れると、ネクタイにしわや折り目がつきやすいという問題があった。この問題を解決するため、カバンに詰め込むことができる携帯用のネクタイケースが提案されている（特許文献１または２参照）。
【０００３】
【特許文献１】実開平５−７６８３号公報
【特許文献２】登録実用新案第３０５３７２１号公報
【考案の開示】
【考案が解決しようとする課題】
【０００４】
しかしながら、特許文献１および２記載のネクタイケースは、カバンを持ち運ばない場合には、それ自体が邪魔になるため、ほとんど携帯されることはない。このため、外したネクタイは、ポケットやカバンに直接入れられることとなり、しわや折り目の問題を解決することができなかった。
【０００５】
本考案は、このような従来の課題に着目してなされたもので、ネクタイをしわや折り目を付けずに携帯できる、ネクタイを吊下げ可能な上着を提供することを目的とする。
【課題を解決するための手段】
【０００６】
上記目的を達成するために、本考案に係るネクタイを吊下げ可能な上着は、上着と基材と吊下用アームとを有し、前記基材は前記上着の前身頃の内側に上着に沿って取り付けられ、前記吊下用アームは、前記上着の丈方向に伸びる回転軸を中心として回転可能に一端が前記基材に取り付けられ、前記上着の丈方向に対し垂直方向に伸びた状態で、吊り下げたネクタイを前記基材との間に挟んで他端が前記基材に着脱可能に取り付けられていることを、特徴とする。
【０００７】
本考案に係るネクタイを吊下げ可能な上着を用いて、ネクタイを携帯するとき、吊下用アームの他端を基材から外して回転軸を中心として回転させる。吊下用アームにネクタイを吊り下げたならば、吊下用アームを回転させてもとに戻し、他端を基材に取り付ける。こうして、ネクタイを基材と吊下用アームとの間に挟んで、吊下用アームに吊り下げることができる。ネクタイは、吊下用アームから下方に吊り下げられるので、しわや折り目を付けずに携帯することができる。
【０００８】
なお、吊下用アームの他端が基材に着脱可能に取り付けられる構造は、例えば、スナップボタン、面ファスナー、弾力性を利用した係合構造などいかなる構造であってもよい。吊下用アームは、基材との間でネクタイを挟む力をネクタイの厚さに応じて調節するための調節機構を有していてもよい。調節機構は、伸縮部材を利用したものでも、バネを利用したものでもよい。また、基材および吊下用アームは、軟質ビニル樹脂などの柔軟な素材から成っていてもよい。この場合、本考案に係るネクタイを吊下げ可能な上着を着用したとき、基材または吊下用アームが身体に当たっても気になりにくく、着心地を良くすることができる。
【考案の効果】
【０００９】
本考案によれば、ネクタイをしわや折り目を付けずに携帯できる、ネクタイを吊下げ可能な上着を提供することできる。
【考案を実施するための最良の形態】
【００１０】
以下、図面に基づき本考案の実施の形態について説明する。
図１および図２は、本考案の実施の形態のネクタイを吊下げ可能な上着を示している。
図１および図２に示すように、ネクタイを吊下げ可能な上着１０は、上着１１と基材１２と吊下用アーム１３とを有している。
【００１１】
図１に示すように、基材１２は、軟質ビニル樹脂から成り、基部２１と１対の突出部２２ａ，２２ｂとを有している。基部２１は、細長い板状で、ネクタイ１の幅よりやや長くなっている。各突出部２２ａ，２２ｂは、それぞれ基部２１の両端の同じ側で基部２１の長さ方向に対して垂直に突出して基部２１に一体的に設けられている。各突出部２２ａ，２２ｂは、ネクタイ１の厚み程度の高さで突出している。一方の突出部２２ａは、先端にスナップボタンの雌部（図示せず）が取り付けられている。
【００１２】
図２に示すように、基材１２は、上着１１の前身頃の内側に、基部２１の長さ方向が上着１１の丈方向に対して垂直になるよう上着１１の正面側から背中側に伸び、上着１１に沿って取り付けられている。基材１２は、基部２１の大部分が上着１１の裏地１１ａに埋め込まれ、各突出部２２ａ，２２ｂが上着１１の裏地１１ａからほぼ垂直方向に突出して裏地１１ａに取り付けられている。
【００１３】
図１に示すように、吊下用アーム１３は、軟質ビニル樹脂から成り、細長い板状で、基材１２の基部２１とほぼ同じ長さおよび幅を有している。吊下用アーム１３は、一端１３ａが基材１２の突出部２２ｂに、上着１１の丈方向に伸びる回転軸２３を中心として回転可能に取り付けられている。吊下用アーム１３を基材１２に対して回転可能にする構造は、通常の蝶番と同様の構造から成る。吊下用アーム１３は、他端１３ｂにスナップボタンの雄部２４が取り付けられ、一端１３ａの回転軸２３を中心として回転させたとき、一方の突出部２２ａのスナップボタンの雌部に雄部２４が着脱可能になっている。こうして、図２に示すように、吊下用アーム１３は、上着１１の丈方向に対し垂直方向に伸びた状態で、吊り下げたネクタイ１を基材１２との間に挟むようになっている。
【００１４】
次に、作用について説明する。
ネクタイを吊下げ可能な上着１０を着用して、ネクタイ１を携帯するとき、吊下用アーム１３の他端１３ｂを基材１２から外して回転軸２３を中心として回転させる。吊下用アーム１３にネクタイ１を吊り下げたならば、吊下用アーム１３を回転させてもとに戻し、スナップボタンの雄部２４を雌部に嵌めて他端１３ｂを基材１２に取り付ける。こうして、図２に示すように、ネクタイ１を基材１２と吊下用アーム１３との間に挟んで、吊下用アーム１３に吊り下げることができる。ネクタイ１は、吊下用アーム１３から下方に吊り下げられるので、しわや折り目を付けずに携帯することができる。
【００１５】
基材１２および吊下用アーム１３が、柔軟な素材の軟質ビニル樹脂から成っているため、ネクタイを吊下げ可能な上着１０を着用したとき、基材１２または吊下用アーム１３が身体に当たっても気になりにくく、着心地を良くすることができる。
【００１６】
ネクタイを吊下げ可能な上着１０をタンスに収納するとき、その上着１１に合ったネクタイ１を吊下用アーム１３に吊り下げておくとよい。それにより、着用のたびにネクタイ１を選び出す手間を省くことができる。また、ネクタイを吊下げ可能な上着１０は、冠婚葬祭の後に、外した慶弔用のネクタイを吊下用アーム１３に吊り下げ、予め吊下用アーム１３に吊り下げておいたノーマルのネクタイを着用することにより、服装のイメージを変えることができる。なお、基材１２と吊下用アーム１３は、上着１１の左側の前身頃に取り付けられても、右側の前身頃に取り付けられても、その両方に取り付けられてもよい。
ネクタイを吊下げ可能な上着１０は、高級ブランド紳士服やフォーマル礼服のほか、カジュアルジャケットなど種々の上着に適用可能である。
【図面の簡単な説明】
【００１７】
【図１】本考案の実施の形態のネクタイを吊下げ可能な上着の基材および吊下用アームを示す斜視図である。
【図２】本考案の実施の形態のネクタイを吊下げ可能な上着の使用状態を示す斜視図である。
【符号の説明】
【００１８】
１    ネクタイ
１０  ネクタイを吊下げ可能な上着
１１  上着
１２  基材
１３  吊下用アーム
２１  基部
２２ａ，２２ｂ  突出部
２３  回転軸
【図１】
0003113077.tif 000003
【図２】
0003113077.tif 000004